(57)【要約】【課題】搬送装置における安定したシート搬送を実現することを課題とする。【解決手段】シート材Ｐに送風する送風手段３１１と、前記送風手段により送風される送風領域を通過するように該シート材を搬送する搬送手段３２０とを備えた搬送装置３００において、前記搬送手段は、前記送風領域内に位置するシート材部分における被送風領域の裏側を表面移動部材３２１で支持しながら、該表面移動部材の表面移動に伴って該シート材を搬送するものであり、前記送風領域よりもシート材搬送方向上流側の位置から、前記シート材の先端部が該送風領域へ進入するまでの間、該シート材の先端部の少なくとも一部を前記表面移動部材の表面に向けて押し付ける押付部材３２０を有する。【選択図】図２
2017171503.tif 000002
【特許請求の範囲】
【請求項１】
シート材に送風する送風手段と、前記送風手段により送風される送風領域内を通過するように該シート材を搬送する搬送手段とを備えた搬送装置において、
前記搬送手段は、前記送風領域内に位置するシート材部分における被送風領域の裏側を表面移動部材で支持しながら、該表面移動部材の表面移動に伴って該シート材を搬送するものであり、
前記送風領域よりもシート材搬送方向上流側の位置から、前記シート材の先端部が該送風領域へ進入するまでの間、該シート材の先端部の少なくとも一部を前記表面移動部材の表面に向けて押し付ける押付部材を有することを特徴とする搬送装置。
【請求項２】
請求項１に記載の搬送装置において、
前記押付部材は、前記送風領域内の位置までの間、前記シート材を前記表面移動部材の表面に向けて押し付けることを特徴とする搬送装置。
【請求項３】
請求項１に記載の搬送装置において、
前記押付部材は、前記送風領域よりもシート材搬送方向下流側の位置までの間、前記シート材を前記表面移動部材の表面に向けて押し付けることを特徴とする搬送装置。
【請求項４】
請求項２又は３に記載の搬送装置において、
前記押付部材は、少なくとも押付開始位置及び押付終了位置に配置される押付用支持ローラ並びに該押付開始位置よりもシート材搬送方向上流側に配置される上流側支持ローラに掛け渡された無端状のベルト部材で構成され、前記押付開始位置に配置される押付用支持ローラと前記上流側支持ローラとの間に張架されているベルト部分がシート材搬送方向上流側から下流側に向けて前記表面移動部材の表面に近づくように配置されていることを特徴とする搬送装置。
【請求項５】
請求項１乃至４のいずれか１項に記載の搬送装置において、
前記送風領域の周囲を壁部材で囲って形成され、少なくともシート材搬送方向上流側からシート材を受け入れるシート受入口を備えた送風室を有し、
前記押付部材は、前記送風室のシート受入口のシート材搬送方向上流側から下流側にかけて、前記シート材を前記表面移動部材の表面に向けて押し付けることを特徴とする搬送装置。
【請求項６】
シート材に送風する送風手段と、前記送風手段により送風される送風領域内を通過するように該シート材を搬送する搬送手段とを備えた搬送装置において、
前記搬送手段は、前記送風領域内に位置するシート材部分における被送風領域の裏側を表面移動部材で支持しながら、該表面移動部材の表面移動に伴って該シート材を搬送するものであり、
前記シート材の後端部が前記送風領域を通過してから、該送風領域よりもシート材搬送方向下流側の位置までの間、該シート材の後端部を前記表面移動部材の表面に向けて押し付ける押付部材を有することを特徴とする搬送装置。
【請求項７】
請求項６に記載の搬送装置において、
前記送風領域の周囲を壁部材で囲って形成され、少なくともシート材搬送方向下流側へシート材を排出するシート排出口を備えた送風室を有し、
前記押付部材は、前記送風室のシート排出口のシート材搬送方向上流側から下流側にかけて、前記シート材を前記表面移動部材の表面に向けて押し付けることを特徴とする搬送装置。
【請求項８】
請求項５又は７に記載の搬送装置において、
前記送風室内には、発熱手段が配置されていることを特徴とする搬送装置。
【請求項９】
請求項８に記載の搬送装置において、
前記発熱手段の発熱量を制御する制御手段を有することを特徴とする搬送装置。
【請求項１０】
請求項８又は９に記載の搬送装置において、
前記表面移動部材及び前記押付部材の少なくとも一方を、前記送風室の外部を通るように配置される無端状のベルト部材で構成したことを特徴とする搬送装置。
【請求項１１】
請求項１乃至１０のいずれか１項に記載の搬送装置において、
前記押付部材は、シート材搬送方向に直交するシート材幅方向の両端領域のみを押し付けることを特徴とする搬送装置。
【請求項１２】
請求項１１に記載の搬送装置において、
前記押付部材は、シート材幅方向へ移動可能に構成されていることを特徴とする搬送装置。
【請求項１３】
請求項１１又は１２に記載の搬送装置において、
前記押付部材は、表面が移動する押付用表面移動部材で構成されており、
前記搬送手段は、前記表面移動部材及び前記押付用表面移動部材のうちの一方の表面移動部材を駆動することにより、他方の表面移動部材を該一方の表面移動部材の表面移動に連れ回るように従動させるものであることを特徴とする搬送装置。
【請求項１４】
請求項１乃至１３のいずれか１項に記載の搬送装置において、
前記搬送手段は、前記表面移動部材の表面に形成された吸引孔に吸い込み気流を生じさせて該表面移動部材の表面に吸着させたシート材を該表面移動部材の表面移動に伴って搬送するものであることを特徴とする搬送装置。
【請求項１５】
請求項１４に記載の搬送装置において、
前記搬送手段は、前記表面移動部材の表面のうち、少なくとも、前記押付部材によりシート材が押し付けられる押付開始位置よりもシート材搬送方向上流側に位置する表面部分から、前記押付部材によりシート材が押し付けられている表面部分に至るまでの間、吸引孔に吸い込み気流を生じさせてシート材を吸着させることを特徴とする搬送装置。
【請求項１６】
シート材に液体を吐出させる液体吐出手段と、
前記液体吐出手段により液体が付着したシート材に送風を行うとともに該シート材を搬送する搬送装置とを備えた印刷装置において、
前記搬送装置として、請求項１乃至１５のいずれか１項に記載の搬送装置を用いたことを特徴とする印刷装置。
【請求項１７】
シート材に液体を吐出させる液体吐出手段と、
前記液体吐出手段のシート材搬送方向上流側で、前記液体が吐出される前のシート材に処理液を付与する前処理手段と、
前記液体吐出手段のシート材搬送方向上流側で、前記前処理手段により処理液が付与されたシート材に送風を行うとともに該シート材を搬送する搬送装置とを備えた印刷装置において、
前記搬送装置として、請求項１乃至１５のいずれか１項に記載の搬送装置を用いたことを特徴とする印刷装置。
【発明の詳細な説明】
【技術分野】
【０００１】
本発明は、搬送装置及び印刷装置に関するものである。
【背景技術】
【０００２】
従来、インクジェット記録装置等の印刷装置において、用紙上に付着させたインクを乾燥させるために用紙のインク付着面に向けて送風を行う搬送装置を備えたものが知られている。
【０００３】
例えば、特許文献１には、ヒータで加熱された空気をファンにより用紙のインク付着面に向けて送風してインクを乾燥させる乾燥装置を備えたインクジェット記録装置が開示されている。このインクジェット記録装置は、用紙搬送方向に対して直交する方向（幅方向）の用紙両端領域をそれぞれ一対の搬送ベルトで挟持し、用紙の幅方向中央領域の両面にそれぞれ対向配置される２つの印字機構によって、用紙の両面に同時に画像を形成する。画像が形成された後の用紙は、当該搬送ベルトに挟持されたままの状態で乾燥装置の対向領域へ搬送され、乾燥装置により送風が行われて用紙両面のインクが乾燥される。
【発明の概要】
【発明が解決しようとする課題】
【０００４】
前記特許文献１に開示の乾燥装置のように、用紙等のシート材の幅方向両端領域のみを挟持して送風を行うとともに搬送を行う搬送装置では、シート材が送風領域を通過するときにシート材の幅方向中央領域が風に押されてシート材が撓んでしまうおそれがある。これにより、シート材の挟持箇所でシート材のズレが生じ、搬送不良が生じるおそれがある。
【課題を解決するための手段】
【０００５】
上述した課題を解決するために、本発明は、シート材に送風する送風手段と、前記送風手段により送風される送風領域内を通過するように該シート材を搬送する搬送手段とを備えた搬送装置において、前記搬送手段は、前記送風領域内に位置するシート材部分における被送風領域の裏側を表面移動部材で支持しながら、該表面移動部材の表面移動に伴って該シート材を搬送するものであり、前記送風領域よりもシート材搬送方向上流側の位置から、前記シート材の先端部が該送風領域へ進入するまでの間、該シート材の先端部の少なくとも一部を前記表面移動部材の表面に向けて押し付ける押付部材を有することを特徴とする。
【発明の効果】
【０００６】
本発明によれば、搬送装置における安定したシート搬送を実現できるという優れた効果が奏される。
【図面の簡単な説明】
【０００７】
【図１】実施形態におけるインクジェット記録装置の概略構成を示す模式図である。
【図２】同インクジェット記録装置の乾燥部を示す正面図である。
【図３】同乾燥部を用紙搬送方向に対して直交する面で切断したときの断面図である。
【図４】送風領域内の搬送ベルト表面に送風ファンからの風が当たって、用紙搬送方向上流側から送風領域内へ進入してくる用紙の先端部に向かう気流が発生する様子を示す説明図である。
【図５】用紙に折れやシワが生じていても、乾燥チャンバー内を用紙が搬送される様子を示す説明図である。
【図６】送風領域内の搬送ベルト表面に送風ファンからの風が当たって、送風領域を通過した用紙の後端部に向かう気流が発生する様子を示す説明図である。
【図７】同乾燥部における押付部材が平ベルトで構成される場合の用紙押し付け箇所を示す説明図である。
【図８】同乾燥部における押付部材が断面円形状の部材で構成される場合の用紙押し付け箇所を示す説明図である。
【図９】変形例１における乾燥部を示す正面図である。
【図１０】同乾燥部を用紙搬送方向に対して直交する面で切断したときの断面図である。
【図１１】変形例２における乾燥部の一例を示す正面図である。
【図１２】変形例２における乾燥部の他の例を示す正面図である。
【図１３】変形例３における乾燥部を示す正面図である。
【図１４】変形例４で用いられる前処理手段としての塗布装置の主要部を示す説明図である。
【発明を実施するための形態】
【０００８】
以下、図面を参照して、本発明の一実施形態について説明する。
【０００９】
［全体説明］
図１は、本実施形態におけるインクジェット記録装置の概略構成を示す模式図である。
本実施形態のインクジェット記録装置１は、主に、給紙部１００、画像形成部２００、乾燥部３００、排紙部４００から構成されている。インクジェット記録装置１においては、給紙部１００から給紙されるシート材としての記録材である用紙Ｐに対し、画像形成部２００で画像形成用の液体であるインクにより画像を形成する。そして、用紙上に付着したインクを乾燥部３００において乾燥させた後、用紙を排紙部４００から排紙する。
【００１０】
［給紙部］
給紙部１００は、主に、複数の用紙Ｐが積載される給紙トレイ１１０と、給紙トレイ１１０から用紙を１枚ずつ分離して送り出す給送装置１２０と、用紙を画像形成部２００へ送り込むレジストローラ対１３０とから構成されている。給送装置１２０には、ローラやコロを用いた装置や、エア吸引を利用した装置など、あらゆる給送装置を用いることが可能である。給送装置１２０により給紙トレイ１１０から送り出された用紙は、その先端がレジストローラ対１３０に到達した後、レジストローラ対１３０が所定のタイミングで駆動することにより、画像形成部２００へ給紙される。なお、本実施形態において、給紙部１００は、画像形成部２００へ用紙Ｐを送り出すものであれば、その構成に制限はない。
【００１１】
［画像形成部］
画像形成部２００は、主に、給紙された用紙Ｐを受け取って用紙担持ドラム２１０へ渡す渡し胴２０１と、渡し胴２０１によって搬送された用紙Ｐを外周面に担持して搬送する用紙担持ドラム２１０と、用紙担持ドラム２１０に担持された用紙Ｐに向けてインクを吐出するインク吐出部２２０と、用紙担持ドラム２１０によって搬送された用紙Ｐを乾燥部３００へ受け渡す受け渡し胴２０２とから構成されている。
【００１２】
給紙部１００から画像形成部２００へ搬送されてきた用紙Ｐは、渡し胴２０１の表面に設けられた用紙グリッパによって先端が把持され、渡し胴２０１の表面移動に伴って搬送される。渡し胴２０１により搬送された用紙は、用紙担持ドラム２１０との対向位置で用紙担持ドラム２１０へ受け渡される。
【００１３】
用紙担持ドラム２１０の表面にも用紙グリッパが設けられており、用紙の先端が用紙グリッパによって把持される。また、用紙担持ドラム２１０の表面には、複数の吸引孔が分散して形成されており、各吸引孔には吸引装置２１１によって用紙担持ドラム２１０の内側へ向かう吸い込み気流が発生する。渡し胴２０１から用紙担持ドラム２１０へ受け渡された用紙Ｐは、用紙グリッパによって先端が把持されるとともに、吸い込み気流によって用紙担持ドラム２１０の表面に吸着して、用紙担持ドラム２１０の表面移動に伴って搬送される。
【００１４】
本実施形態のインク吐出部２２０は、Ｃ（シアン）、Ｍ（マゼンタ）、Ｙ（イエロー）、Ｋ（ブラック）の４色のインクを吐出して画像を形成するものであり、インクごとに個別の液体吐出ヘッド２２０Ｃ，２２０Ｍ，２２０Ｙ，２２０Ｋを備えている。液体吐出ヘッド２２０Ｃ，２２０Ｍ，２２０Ｙ，２２０Ｋは、液体を吐出するものであれば、その構成に制限はなく、あらゆる構成のものを採用することができる。必要に応じて、白色、金色、銀色などの特殊なインクを吐出する液体吐出ヘッドを設けたり、表面コート液などの画像を構成しない液体を吐出する液体吐出ヘッドを設けたりしてもよい。
【００１５】
インク吐出部２２０の液体吐出ヘッド２２０Ｃ，２２０Ｍ，２２０Ｙ，２２０Ｋは、画像情報に応じた駆動信号によりそれぞれ吐出動作が制御される。用紙担持ドラム２１０に担持された用紙Ｐがインク吐出部２２０との対向領域を通過する際に、液体吐出ヘッド２２０Ｃ，２２０Ｍ，２２０Ｙ，２２０Ｋから各色インクが吐出され、当該画像情報に応じた画像が形成される。なお、本実施形態において、画像形成部２００は、用紙Ｐ上に液体を付着させて画像を形成するであれば、その構成に制限はない。
【００１６】
［乾燥部］
乾燥部３００は、主に、画像形成部２００で用紙Ｐ上に付着したインクを乾燥させるための乾燥機構３０１と、画像形成部２００から搬送されてくる用紙Ｐを搬送する搬送機構３０２とから構成されている。画像形成部２００から搬送されてきた用紙Ｐは、搬送機構３０２に受け取られた後、乾燥機構３０１を通過するように搬送され、排紙部４００へ受け渡される。乾燥機構３０１を通過する際、用紙Ｐ上のインクには乾燥処理が施され、これによりインク中の水分等の液分が蒸発し、用紙Ｐ上にインクが固着するとともに、用紙Ｐのカールが抑制される。
【００１７】
［排紙部］
排紙部４００は、主に、複数の用紙Ｐが積載される排紙トレイ４１０から構成されている。乾燥部３００から搬送されてくる用紙Ｐは、排紙トレイ４１０上に順次積み重ねられて保持される。なお、本実施形態において、排紙部４００は、用紙Ｐを排紙するものであれば、その構成に制限はない。
【００１８】
［その他の機能部］
本実施形態のインクジェット記録装置１は、給紙部１００、画像形成部２００、乾燥部３００、排紙部４００から構成されているが、他の機能部を適宜追加してもよい。例えば、給紙部１００と画像形成部２００との間に画像形成の前処理を行う前処理部を追加したり、乾燥部３００と排紙部４００との間に画像形成の後処理を行う後処理部を追加したりすることができる。
【００１９】
前処理部としては、例えば、インクと反応して滲みを抑制するための処理液を用紙Ｐに塗布する処理液塗布処理を行うものなどが挙げられるが、前処理の内容については特に制限はない。また、後処理部としては、例えば、画像形成部２００で画像が形成された用紙を反転させて再び画像形成部２００へ送って用紙の両面に画像を形成するための用紙反転搬送処理や、画像が形成された複数枚の用紙を綴じる処理などが挙げられるが、後処理の内容についても特に制限はない。
【００２０】
なお、本実施形態では、印刷装置を、インクジェット記録装置の例で説明しているが、「印刷装置」は、シート材の被乾燥面に向けて液体を吐出する液体吐出ヘッドを備え、吐出された液体によって文字、図形等の有意な画像が可視化されるものに限定されるものではなく、例えば、それ自体意味を持たないパターン等を形成するものも含まれる。シート材は、材質を限定されるものではなく、紙、糸、繊維、布帛、皮革、金属、プラスチック、ガラス、木材、セラミックスなど、液体が一時的でも付着可能なものであればよく、例えば、フィルム製品、衣料用等の布製品、壁紙や床材等の建材、皮革製品などに使用されるものであってもよい。また、「印刷装置」は、液体が付着可能なものの給送、搬送、排紙に係わる手段、その他、前処理装置、後処理装置なども含むことができる。
また、「液体」は、ヘッドから吐出可能な粘度や表面張力を有するものであればよく、特に限定されないが、常温、常圧下において、または加熱、冷却により粘度が３０ｍＰａ・ｓ以下となるものであることが好ましい。より具体的には、水や有機溶媒等の溶媒、染料や顔料等の着色剤、重合性化合物、樹脂、界面活性剤等の機能性付与材料、ＤＮＡ、アミノ酸やたんぱく質、カルシウム等の生体適合材料、天然色素等の可食材料、などを含む溶液、懸濁液、エマルジョンなどであり、これらは例えば、インクジェット用インク、表面処理液等の用途で用いることができる。
また、「印刷装置」は、液体吐出ヘッドとシート材とが相対的に移動する装置があるが、これに限定するものではない。具体例としては、液体吐出ヘッドを移動させるシリアル型装置、液体吐出ヘッドを移動させないライン型装置などが含まれる。
【００２１】
また、「液体吐出ヘッド」とは、吐出孔（ノズル）から液体を吐出・噴射する機能部品である。液体を吐出するエネルギー発生源として、圧電アクチュエータ（積層型圧電素子及び薄膜型圧電素子）、発熱抵抗体などの電気熱変換素子を用いるサーマルアクチュエータ、振動板と対向電極からなる静電アクチュエータなどの吐出エネルギー発生手段を使用することができるが、使用する吐出エネルギー発生手段が限定されるものではない。
【００２２】
［乾燥部の詳細］
次に、本実施形態における乾燥部３００の詳細について説明する。
図２は、本実施形態における乾燥部３００を示す正面図である。
図３は、本実施形態における乾燥部３００を用紙搬送方向に対して直交する面で切断したときの断面図である。
【００２３】
本実施形態の乾燥部３００における乾燥機構３０１は、主に、搬送機構３０２によって搬送される用紙Ｐに向けて送風する送風ファン３１１と、輻射熱（例えば、赤外線）を放射するヒータである輻射ヒータ３１２と、送風ファン３１１により送風される送風領域の周囲を壁部材で囲って形成される乾燥チャンバー３１３とから構成されている。乾燥チャンバー３１３は、その壁部材の少なくとも一部が断熱材で形成されており、乾燥チャンバー３１３の内部温度が下がりにくいように構成されている。乾燥機構３０１では、乾燥チャンバー３１３の内部空間へ搬送されてくる用紙Ｐの画像面に対し、輻射ヒータ３１２による輻射熱と、送風ファン３１１による送風とによって、用紙Ｐの画像面上のインクを乾燥させる。
【００２４】
本実施形態の乾燥機構３０１は、複数（本実施形態では３つ）の送風ファン３１１が用紙搬送方向に並んで配置された構成となっているが、送風ファン３１１の数や配置は任意である。また、本実施形態の乾燥機構３０１は、複数（本実施形態では２つ）の輻射ヒータ３１２が用紙搬送方向に並んで配置された構成となっているが、輻射ヒータ３１２の数や配置も任意である。
【００２５】
本実施形態の搬送機構３０２は、主に、ベルト搬送機構３２０と、用紙押さえ機構３３０とから構成されている。ベルト搬送機構３２０は、２つの支持ローラ３２２，３２３に掛け渡された無端状の搬送ベルト３２１の表面上に用紙Ｐを担持して、搬送ベルト３２１の表面移動に伴って用紙Ｐを搬送する。用紙搬送方向に対して直交する方向（幅方向）における搬送ベルト３２１の長さは、搬送される用紙Ｐの幅方向長さ以上に設定されている。用紙押さえ機構３３０は、搬送ベルト３２１の表面上に担持された用紙Ｐを搬送ベルト３２１の表面に向けて押し付け、主にベルト搬送機構３２０による用紙搬送性を高める機能を果たす。
【００２６】
搬送ベルト３２１は、主に２つの支持ローラ３２２，３２３のうちの少なくとも一方が駆動することにより図中矢印の向きに走行して表面が移動する。搬送ベルト３２１の材料には、金属やゴムなどを使用することが可能であり、その材料に特に制限はない。ただし、本実施形態では、乾燥チャンバー３１３の内部を通過する際に高温に曝されることを考慮して、耐熱性のある材料（耐熱性のゴムや金属など）であるのが好ましい。
【００２７】
搬送ベルト３２１の用紙搬送方向上流側部分（第一支持ローラ３２２に巻き付いたベルト部分）は、画像形成部２００の受け渡し胴２０２に対向するように配置されている。受け渡し胴２０２によって搬送されてきた用紙Ｐは、その画像面の裏面が搬送ベルト３２１の表面に対面する形で搬送ベルト３２１へ受け渡され、搬送ベルト３２１の表面上に担持される。そして、搬送ベルト３２１の表面に担持された用紙Ｐは、搬送ベルト３２１の表面移動に伴って、第二支持ローラ３２３側へと搬送される。
【００２８】
なお、用紙Ｐは、主に静電力あるいは摩擦力の作用で搬送ベルト３２１の表面に保持され、本実施形態における搬送ベルト３２１は用紙グリッパなどの機構を備えていないが、用紙グリッパなどで搬送ベルト３２１の表面上に用紙Ｐを保持する構成としてもよい。
【００２９】
搬送ベルト３２１における用紙を担持するベルト部分（第一支持ローラ３２２から第二支持ローラ３２３に向けて移動するベルト部分）は、乾燥機構３０１の乾燥チャンバー３１３の内部を通るように配置されている。したがって、搬送ベルト３２１の表面上に担持された用紙Ｐは、搬送ベルト３２１の表面移動に伴って、乾燥機構３０１の乾燥チャンバー３１３の内部を通過し、その後、搬送ベルト３２１の表面から離れ、ガイド板や搬送ローラなどを介して排紙部４００へと受け渡される。
【００３０】
本実施形態の用紙押さえ機構３３０は、搬送ベルト３２１の表面に担持された用紙Ｐの幅方向両端領域Ｐ２を支持する２つの端部押さえベルト３３１Ａ，３３１Ｂを備えている。一方の端部押さえベルト３３１Ａは、５つの支持ローラ３３２Ａ，３３３Ａ，３３４Ａ，３３５Ａ，３３６Ａに掛け渡された無端状のベルト部材であり、用紙Ｐの幅方向一端領域に当接して搬送ベルト３２１の表面に向けて用紙を押さえ付ける。他方の端部押さえベルト３３１Ｂも、同様に、５つの支持ローラ３３２Ｂ，３３３Ｂ，３３４Ｂ，３３５Ｂ，３３６Ｂに掛け渡された無端状のベルト部材であり、用紙Ｐの幅方向他端領域に当接して搬送ベルト３２１の表面に向けて用紙を押さえ付ける。２つの端部押さえベルト３３１Ａ，３３１Ｂを支持する各支持ローラは、それぞれ、２つの端部押さえベルト３３１Ａ，３３１Ｂ間で共通の回転軸上に配置されている。
【００３１】
２つの端部押さえベルト３３１Ａ，３３１Ｂの材料には、金属やゴムなどを使用することが可能であり、その材料に特に制限はない。ただし、乾燥チャンバー３１３の内部を通過する際に高温に曝されることを考慮して耐熱性のある材料（耐熱性のゴムや金属など）であるのが好ましい。
【００３２】
２つの端部押さえベルト３３１Ａ，３３１Ｂは、第一支持ローラ３３２Ａ，３３２Ｂから第二支持ローラ３３３Ａ，３３３Ｂに向けて移動するベルト部分で、用紙Ｐの幅方向各端領域Ｐ２を搬送ベルト３２１の表面に向けて押さえ付ける。本実施形態においては、２つの端部押さえベルト３３１Ａ，３３１Ｂの当該ベルト部分の内周面側に、それぞれ３つずつの加重コロ３３７が設けられている。また、ベルト搬送機構３２０の搬送ベルト３２１の内周面側には、これらの加重コロ３３７と第一支持ローラ３３２Ａ，３３２Ｂとの対向位置に、バックアップコロ３２４が設けられている。これにより、搬送ベルト３２１の表面に担持された用紙Ｐの用紙幅方向両端領域Ｐ２は、少なくとも第一支持ローラ３３２Ａ，３３２Ｂから用紙搬送方向最下流側に位置する加重コロ３３７までの区間において、２つの端部押さえベルト３３１Ａ，３３１Ｂによって十分な圧力で継続的に押さえ付けられ、２つの端部押さえベルト３３１Ａ，３３１Ｂと搬送ベルト３２１の表面との間に挟持された状態が維持される。
【００３３】
本実施形態における２つの端部押さえベルト３３１Ａ，３３１Ｂは、これらをそれぞれ張架支持している５つの支持ローラや加重コロ３３７及びバックアップコロ３２４とともに、用紙幅方向へ移動可能に構成されている。これにより、幅方向のサイズが異なる用紙に対しても、それらの用紙の幅方向両端領域Ｐ２を２つの端部押さえベルト３３１Ａ，３３１Ｂによって搬送ベルト３２１の表面に押さえ付けることが可能である。なお、２つの端部押さえベルト３３１Ａ，３３１Ｂによって押さえ付ける用紙の幅方向各端領域Ｐ２の用紙幅方向長さは、数ｍｍ程度（例えば５ｍｍ以上１０ｍｍ以下）とし、用紙上の余白部分（非画像形成領域）のみを２つの端部押さえベルト３３１Ａ，３３１Ｂで押さえ付ける構成とするのが好ましい。
【００３４】
［用紙先端部の捲れ上がり抑制］
本実施形態において、搬送ベルト３２１の表面に担持された用紙Ｐは、乾燥機構３０１の乾燥チャンバー３１３の内部を通過する際、用紙Ｐの画像面（被送風面）の略法線方向から送風ファン３１１の送風を受ける。このとき、本実施形態の搬送ベルト３２１は、送風ファン３１１により送風される送風領域内に位置する用紙部分、具体的には、２つの端部押さえベルト３３１Ａ，３３１Ｂによって押さえ付けられる用紙幅方向両端領域Ｐ２を除いた用紙Ｐの幅方向中央領域Ｐ１を、その用紙Ｐの画像面（被送風面）の裏側から担持している。そのため、用紙Ｐの画像面（被送風面）に送風ファン３１１からの風が当たっても、用紙Ｐが風に押されて撓むような事態が抑制される。したがって、用紙Ｐの幅方向両端領域Ｐ２のみを挟持して搬送する構成で発生し得る搬送不良（用紙Ｐの幅方向中央領域Ｐ１が風に押されて用紙が撓み、用紙の挟持箇所で用紙のズレが生じて発生する搬送不良）が抑制される。しかも、本実施形態においては、送風ファン３１１からの風が用紙Ｐの幅方向中央領域Ｐ１を押すことで、用紙Ｐと搬送ベルト３２１との密着性が高まるので、より安定した用紙搬送を実現できる。
【００３５】
送風ファン３１１により送風される送風領域内に位置する用紙部分（用紙Ｐの幅方向中央領域Ｐ１）を担持する搬送ベルト３２１の部分は、当該用紙部分の裏面を全体的に支える構造であれば、その表面が平面である必要はない。
【００３６】
本実施形態においては、送風ファン３１１により送風される送風領域内（本実施形態では乾燥チャンバー３１３内）に用紙Ｐが進入する前に、送風領域内に存在する搬送ベルト３２１の表面に送風ファン３１１からの風が当たる。このように搬送ベルト３２１の表面に当たった風は、搬送ベルト３２１の表面に沿って進み、図４に示すように、用紙搬送方向上流側から送風領域内へ進入してくる用紙Ｐの先端部に向かう気流Ｆ１を生じさせる。このような気流Ｆ１は、用紙Ｐが送風領域内へ進入する前の用紙先端部を捲り上げ、用紙先端部が乾燥チャンバー３１３の外壁などの周囲の部材に引っ掛かったり、搬送ベルト３２１から用紙Ｐが剥離したりするなどして、搬送不良を生じさせるおそれがある。
【００３７】
そこで、本実施形態においては、２つの端部押さえベルト３３１Ａ，３３１Ｂにより、送風領域へ進入する用紙Ｐの先端部を搬送ベルト３２１の表面に向けて押し付ける構成としている。これにより、前記のような気流Ｆ１が発生しても、用紙Ｐの先端部は、送風領域へ進入するまで２つの端部押さえベルト３３１Ａ，３３１Ｂによって搬送ベルト３２１の表面に押さえ付けられ、捲れ上がりが抑制される。その結果、用紙先端部が乾燥チャンバー３１３の外壁などの周囲の部材に引っ掛かるなどの搬送不良が抑制され、安定した用紙搬送性が得られる。
【００３８】
また、本実施形態において、２つの端部押さえベルト３３１Ａ，３３１Ｂにより押し付けているのは、送風領域へ進入する用紙Ｐの先端部における幅方向両端領域のみであり、その幅方向中央領域は押さえ付けられていない。これにより、送風領域へ進入する前の未乾燥状態のインクを乱すことなく、送風領域へ進入する用紙Ｐの先端部を搬送ベルト３２１の表面に押し付けることができる。しかも、気流Ｆ１によって用紙先端部が捲れ上がるときには、通常、用紙先端部の幅方向一端側から捲れ上がっていくので、用紙Ｐの先端部における幅方向両端領域さえ押さえ付けておけば、用紙先端部の捲れ上がりは安定して抑制される。
【００３９】
ただし、用紙先端部における幅方向中央領域を押し付ける構成を排除するものではない。このような構成を採用する場合には、拍車等のように未乾燥状態のインクを乱さない構成で、用紙先端部における幅方向中央領域を押し付けることが好ましい。
【００４０】
また、本実施形態においては、送風領域が乾燥チャンバー３１３の壁部材によって囲まれている。本実施形態の乾燥チャンバー３１３には、用紙搬送方向上流側から乾燥チャンバー３１３の内部へ用紙Ｐを受け入れるための用紙受入口３１３ａと、乾燥チャンバー３１３の内部から用紙搬送方向下流側へ用紙Ｐを排出する用紙排出口３１３ｂとが設けられ、その他の箇所には開口部がない。そのため、送風ファン３１１の送風によって生じた気流Ｆ１が、乾燥チャンバー３１３の内部から用紙受入口３１３ａを通じて外部へ向かって強く吹き出しやすい構造となっている。よって、乾燥チャンバー３１３の用紙受入口３１３ａから進入する前の用紙Ｐの先端部には、用紙受入口３１３ａから吹き出す強い気流Ｆ１が当たり、用紙先端部が捲れ上がりやすい。
【００４１】
そのため、本実施形態においては、乾燥チャンバー３１３の用紙受入口３１３ａの用紙搬送方向上流側から下流側にかけて、２つの端部押さえベルト３３１Ａ，３３１Ｂにより用紙Ｐを搬送ベルト３２１の表面に向けて継続的に押し付ける構成となっている。これにより、用紙Ｐの先端部が用紙受入口３１３ａを通過するまで、用紙Ｐの先端部が搬送ベルト３２１の表面に継続して押さえ付けられ、用紙受入口３１３ａから強い気流Ｆ１が吹き出しても、用紙先端部の捲れ上がりが安定して抑制される。
【００４２】
本実施形態において、用紙Ｐの押し付けを開始する押付開始位置、具体的には、第一支持ローラ３３２Ａ，３３２Ｂによって２つの端部押さえベルト３３１Ａ，３３１Ｂが搬送ベルト３２１の表面に当接する位置は、用紙受入口３１３ａから吹き出される気流Ｆ１の勢いが十分に小さくなる位置に適宜設定される。押付開始位置を乾燥チャンバー３１３の用紙受入口３１３ａから用紙搬送方向上流側へ遠ざけるほど、用紙先端部の捲れ上がり抑制には有利となるが、用紙搬送方向への乾燥部３００の大型化を招く点などを考慮する必要がある。
【００４３】
また、用紙Ｐの押し付けを開始する押付開始位置よりも用紙搬送方向上流側において、搬送ベルト３２１の表面に担持される用紙Ｐは、２つの端部押さえベルト３３１Ａ，３３１Ｂによる押し付けを受けていない。そのため、画像形成部２００の受け渡し胴２０２での搬送時に用紙Ｐがカールしたり、インクの液分によって用紙Ｐにシワができたりして、押付開始位置よりも用紙搬送方向上流側で用紙Ｐの先端部が浮き上がる可能性がある。この場合、浮き上がった用紙先端部が端部押さえベルト３３１Ａ，３３１Ｂと搬送ベルト３２１との間に進入できず、搬送不良が生じるおそれがある。
【００４４】
そこで、本実施形態における２つの端部押さえベルト３３１Ａ，３３１Ｂは、用紙Ｐの押し付けを開始する押付開始位置よりも用紙搬送方向上流側に配置される上流側支持ローラ３３６Ａ，３３６Ｂから押付開始位置に配置される第一支持ローラ３３２Ａ，３３２Ｂまでに張架されているベルト部分が、用紙搬送方向上流側から下流側に向けて搬送ベルト３２１の表面に近づくように配置されている。これにより、押付開始位置よりも用紙搬送方向上流側で用紙Ｐの先端部が搬送ベルト３２１の表面から浮き上がっている場合、その用紙先端部は、２つの端部押さえベルト３３１Ａ，３３１Ｂの当該ベルト部分に接触し、その後、端部押さえベルト３３１Ａ，３３１Ｂの表面移動に伴って押付開始位置に向けて案内される。その結果、用紙先端部が搬送ベルト３２１の表面から浮き上がっていても、端部押さえベルト３３１Ａ，３３１Ｂと搬送ベルト３２１との間に用紙先端部がスムーズに進入でき、搬送不良を抑制できる。
【００４５】
［乾燥チャンバー内部での用紙の捲れ上がり抑制］
また、用紙先端部が乾燥チャンバー３１３内の送風領域内に進入した後においては、用紙先端部は、送風ファン３１１からの風によって搬送ベルト３２１の表面に押さえ付けられる。したがって、送風領域内では、用紙先端部の捲れ上がりが起きにくいので、必ずしも端部押さえベルト３３１Ａ，３３１Ｂによって用紙Ｐの先端部を押さえ付ける必要はない。しかしながら、本実施形態では、送風領域が乾燥チャンバー３１３の内部であるため、送風領域内で用紙Ｐの先端部が捲れ上がってしまうと、その搬送不良によって乾燥チャンバー３１３の内部に用紙Ｐが残留してしまうおそれがある。また、送風領域内で用紙Ｐの後端部が捲れ上がる場合もあり、その場合も、搬送不良によって乾燥チャンバー３１３の内部に用紙Ｐが残留してしまうおそれがある。
【００４６】
乾燥チャンバー３１３の内部は開口部の少ない空間であるため、その内部から搬送不良の用紙Ｐを取り出す作業は容易ではない。したがって、可能な限り、乾燥チャンバー３１３の内部で搬送不良が生じることを避けることが望まれる。加えて、本実施形態のように乾燥チャンバー３１３の内部に輻射ヒータ３１２のような発熱手段が配置されている場合、用紙Ｐが発熱手段に接触する事態を避けることも重要である。
【００４７】
そこで、本実施形態においては、乾燥チャンバー３１３の内部（送風領域内）でも２つの端部押さえベルト３３１Ａ，３３１Ｂによって用紙Ｐの先端部や後端部が継続的に押さえ付けられる構成となっている。これにより、乾燥チャンバー３１３の内部でも用紙Ｐの先端部や後端部が捲れ上がることが安定して抑制され、乾燥チャンバー３１３の内部に用紙Ｐが残留したり、発熱手段に用紙Ｐが接触したりする事態などの発生が抑制される。
【００４８】
更に、乾燥チャンバー３１３の内部（送風領域内）で２つの端部押さえベルト３３１Ａ，３３１Ｂにより用紙Ｐが搬送ベルト３２１に押さえ付けられる構成とすることで、図５に示すように、その用紙Ｐに符号Ｐ３で示す折れや符号Ｐ４で示すシワが生じていても、その用紙Ｐを搬送ベルト３２１によって安定して搬送することができる。これにより、折れＰ３が乾燥チャンバー３１３の内部部品に引っ掛かったり、シワＰ４によって用紙Ｐと搬送ベルト３２１との密着性が低下したりして発生し得る搬送不良が、乾燥チャンバー３１３の内部で起きにくい。したがって、用紙Ｐに折れＰ３やシワＰ４が生じていても、乾燥チャンバー３１３の内部に用紙Ｐが残留する事態の発生を抑制できる。
【００４９】
［用紙後端部の捲れ上がり抑制］
また、本実施形態においては、送風ファン３１１により送風される送風領域内を用紙Ｐが通過した後においても、送風領域内に存在する搬送ベルト３２１の表面に送風ファン３１１からの風が当たる。このように搬送ベルト３２１の表面に当たった風は、搬送ベルト３２１の表面に沿って進み、図６に示すように、送風領域内から用紙搬送方向下流側へ抜けた用紙Ｐの後端部に向かう気流Ｆ２を生じさせる。このような気流Ｆ２は、送風領域内を抜けた用紙Ｐの後端部を捲り上げ、搬送ベルト３２１から用紙Ｐが剥離したりするなどして、搬送不良を生じさせるおそれがある。
【００５０】
そこで、本実施形態においては、２つの端部押さえベルト３３１Ａ，３３１Ｂにより、送風領域を抜けた用紙Ｐの後端部を搬送ベルト３２１の表面に向けて押し付ける構成としている。これにより、前記のような気流Ｆ２が発生しても、用紙Ｐの後端部は、送風領域を抜けた後の所定の押し付け区間を過ぎるまで、２つの端部押さえベルト３３１Ａ，３３１Ｂによって搬送ベルト３２１の表面に押さえ付けられ、捲れ上がりが抑制される。よって、用紙後端部が捲れ上がって搬送ベルト３２１から用紙Ｐが剥離したりするなどの搬送不良が抑制され、安定した用紙搬送性が得られる。
【００５１】
また、本実施形態においては、上述した用紙受入口３１３ａからの気流Ｆ１の吹き出しと同様、送風ファン３１１の送風によって生じた気流Ｆ２が、乾燥チャンバー３１３の内部から用紙排出口３１３ｂを通じて外部へ向かって強く吹き出しやすい。その結果、乾燥チャンバー３１３の用紙排出口３１３ｂを抜けた用紙Ｐの後端部には、用紙排出口３１３ｂから吹き出す強い気流Ｆ２が当たり、用紙後退部が捲れ上がりやすい。
【００５２】
本実施形態では、乾燥チャンバー３１３の用紙排出口３１３ｂの用紙搬送方向上流側から下流側にかけて、２つの端部押さえベルト３３１Ａ，３３１Ｂにより用紙Ｐを搬送ベルト３２１の表面に向けて継続的に押し付ける構成となっている。そのため、用紙Ｐの後端部が用紙排出口３１３ｂを通過する前から通過した後も用紙Ｐの後端部が搬送ベルト３２１の表面に継続して押さえ付けられ、用紙排出口３１３ｂから強い気流Ｆ２が吹き出しても、用紙後端部の捲れ上がりが安定して抑制される。
【００５３】
本実施形態において、用紙Ｐの押し付けを終了する押付終了位置、具体的には、２つの端部押さえベルト３３１Ａ，３３１Ｂが搬送ベルト３２１の表面から離間する位置は、用紙排出口３１３ｂから吹き出される気流Ｆ２の勢いが十分に小さくなる位置に適宜設定される。押付終了位置を乾燥チャンバー３１３の用紙排出口３１３ｂから用紙搬送方向下流側へ遠ざけるほど、用紙後端部の捲れ上がり抑制には有利となるが、用紙搬送方向への乾燥部３００の大型化を招く点などを考慮する必要がある。
【００５４】
本実施形態の乾燥部３００は、送風ファン３１１等の送風手段により用紙Ｐに向けて送風を行うものであれば、必ずしも輻射ヒータ３１２等の発熱手段を設ける必要はないが、より短時間でインクを乾燥させるうえでは発熱手段を設けるのが好ましい。発熱手段は、輻射ヒータ３１２のように輻射熱を発生させるものに限られず、例えば、搬送ベルト３２１や端部押さえベルト３３１Ａ，３３１Ｂなどの用紙Ｐに接触する部材から用紙Ｐへ伝達させる熱を発生させる手段であってもよい。また、乾燥チャンバー３１３の内部を昇温するための発熱手段であってもよく、この場合、送風ファン３１１により温風を用紙Ｐへ当てることができる。
【００５５】
本実施形態における送風ファン３１１には、ヒータが内蔵されており、そのヒータの温度、送風ファン３１１による風速や風量、送風ファン３１１と搬送ベルト３２１の表面との距離などの各種パラメータは、制御部によって設定変更可能に構成されている。各種パラメータの設定値は、例えば、用紙Ｐの種類、用紙Ｐへのインク付着量、搬送ベルト３２１による用紙搬送速度等に応じて変更する。制御部は、例えば、本インクジェット記録装置に設けられる操作パネルによりオペレータが入力した入力情報に基づいて各種パラメータの設定値を変更してもよいし、あらかじめ記憶装置内に記憶されているデータやプログラム等を使用して各種パラメータの設定値を変更してもよい。また、各種パラメータは、オペレータによる手作業での調整も可能である。
【００５６】
輻射ヒータ３１２についても、出力波長などのパラメータが、用紙Ｐの種類、用紙Ｐへのインク付着量、搬送ベルト３２１による用紙搬送速度等に応じて設定変更可能に構成されている。パラメータの設定変更については、送風ファン３１１のものと同様、例えば、本インクジェット記録装置に設けられる操作パネルによりオペレータが入力した入力情報に基づいて各種パラメータの設定値を変更してもよいし、あらかじめ記憶装置内に記憶されているデータやプログラム等を使用して各種パラメータの設定値を変更してもよい。また、オペレータによる手作業での調整も可能である。
【００５７】
本実施形態における２つの端部押さえベルト３３１Ａ，３３１Ｂは、搬送ベルト３２１の表面に連れ回って従動する構成であるが、いずれかの支持ローラの駆動力によって駆動する構成としても良い。この場合でも、２つの端部押さえベルト３３１Ａ，３３１Ｂの表面が搬送ベルト３２１の表面と等速で移動するように、２つの端部押さえベルト３３１Ａ，３３１Ｂを駆動するのが好ましい。２つの端部押さえベルト３３１Ａ，３３１Ｂの表面と搬送ベルト３２１の表面との間に速度差があると、これらの間に挟持される用紙Ｐがスリップして、用紙Ｐが蛇行したり、用紙Ｐにキズが生じたりするおそれがある。
【００５８】
また、本実施形態における２つの端部押さえベルト３３１Ａ，３３１Ｂは、その全体が乾燥チャンバー３１３に配置されているのではなく、図２や図３に示すように、その一部が乾燥チャンバー３１３の外部を通るように配置されている。本実施形態における乾燥チャンバー３１３の内部は高温になるため、端部押さえベルト３３１Ａ，３３１Ｂの全体が乾燥チャンバー３１３に配置されていると、端部押さえベルト３３１Ａ，３３１Ｂが長期間高温に曝され、端部押さえベルト３３１Ａ，３３１Ｂの最高到達温度が高まり、寿命が短くなる。本実施形態によれば、端部押さえベルト３３１Ａ，３３１Ｂが乾燥チャンバー３１３の外部を通るときに冷却でき、端部押さえベルト３３１Ａ，３３１Ｂの最高到達温度を下げて寿命を長くすることが可能である。このとき、乾燥チャンバー３１３の外部を通る端部押さえベルト３３１Ａ，３３１Ｂを冷却する冷却手段を設けても良い。この冷却手段には特に制限はないが、冷却ファンの空冷方式が安価で好適である。
【００５９】
また、本実施形態では、２つの端部押さえベルト３３１Ａ，３３１Ｂと搬送ベルト３２１とが接触する部分は、加重コロ３３７とバックアップコロ３２４との間に挟持されているが、その挟持力は設定変更可能に構成されている。その挟持力は、例えば、用紙Ｐの種類、用紙Ｐの厚さなどに応じて変更する。挟持力の設定変更は、例えば、加重コロ３３７をバックアップコロ３２４に向けて付勢している付勢バネの長さを変更することで加重コロ３３７の付勢力を変更して挟持力を変更する構成などにより実現できる。
【００６０】
本実施形態では、３つの加重コロ３３７が用紙搬送方向に沿って並べて配置されているが、加重コロ３３７の数や配置間隔は適宜設定されるが、最小サイズの用紙（用紙搬送方向長さが最も短い用紙）を搬送するときでも、必ず１つ以上の加重コロ３３７によって用紙が押さえ付けられるような数と配置間隔に設定することが好ましい。なお、本実施形態では、２つの端部押さえベルト３３１Ａ，３３１Ｂが搬送ベルト３２１に対して従動する構成であるところ、加重コロ３３７による加重によって２つの端部押さえベルト３３１Ａ，３３１Ｂと搬送ベルト３２１との摩擦力が高まるので、加重コロ３３７は端部押さえベルト３３１Ａ，３３１Ｂの安定した従動にも寄与するものである。加重コロ３３７の材料には特に制限はないが、乾燥チャンバー３１３の内部に配置されて高温に長期間曝されることを考慮すると、耐熱性のある材料、特に金属であるのが好ましい。
【００６１】
本実施形態における２つの端部押さえベルト３３１Ａ，３３１Ｂには、図７に示すように、平ベルトが採用されているが、図８に示すように、断面円形状の丸ベルトあるいは金属ワイヤからなる端部押さえ部材３３１Ａ’，３３１Ｂ’などの他の表面移動部材であってもよい。また、用紙Ｐの先端部や後端部の捲れ上がりを抑制する場合、用紙Ｐを搬送ベルト３２１の表面に押さえ付けることができれば良いので、表面移動部材ではなく、板バネなどで用紙Ｐを搬送ベルト３２１の表面に押さえ付けるような押付部材を使用してもよい。
【００６２】
ただし、本実施形態のような平ベルトであれば、図７に示すように、用紙Ｐの幅方向端部を完全に覆うことが可能であり、用紙Ｐの幅方向端部からの気流Ｆ１，Ｆ２の侵入を阻止するのに有効である。また、本実施形態のような平ベルトである場合、図７に示すように、２つの端部押さえベルト３３１Ａ，３３１Ｂが用紙Ｐを押さえ付けている箇所においても、その端部押さえベルト３３１Ａ，３３１Ｂの幅方向外側部分を搬送ベルト３２１の表面に接触させることが可能である。この場合、２つの端部押さえベルト３３１Ａ，３３１Ｂと搬送ベルト３２１との接触面積を確保できるので、本実施形態のように２つの端部押さえベルト３３１Ａ，３３１Ｂを搬送ベルト３２１の表面に連れ回して従動させる場合に有利である。
【００６３】
一方、図８に示すように丸ベルトあるいは金属ワイヤからなる端部押さえ部材３３１Ａ’，３３１Ｂ’であれば、用紙Ｐとの接触面積を少なくでき、用紙Ｐへのダメージを抑制できる。また、平ベルトの場合よりも安価な構成としやすい。
【００６４】
〔変形例１〕
次に、本実施形態における乾燥部３００の一変形例（以下、本変形例を「変形例１」という。）について説明する。
本変形例１は、基本構成については上述した実施形態と同様であるが、ベルト搬送機構３２０が搬送ベルト３２１の代わりに吸引ベルトからなる搬送ベルト３２５を採用している点で、上述した実施形態とは異なっている。以下、上述した実施形態とは異なる点を中心に説明する。
【００６５】
図９は、本変形例１における乾燥部３００を示す正面図である。
図１０は、本変形例１における乾燥部３００を用紙搬送方向に対して直交する面で切断したときの断面図である。
本変形例１におけるベルト搬送機構３２０も、２つの支持ローラ３２２，３２３に掛け渡された無端状の搬送ベルト３２５の表面上に用紙Ｐを担持して、搬送ベルト３２５の表面移動に伴って用紙Ｐを搬送する。本変形例１の搬送ベルト３２５は、その表面に複数の微小な貫通孔（吸引孔）が分散して開口した吸引ベルトであり、用紙を担持するベルト部分（第一支持ローラ３２２から第二支持ローラ３２３に向けて移動するベルト部分）の内周面側には、吸引機構３２６が設けられている。
【００６６】
吸引機構３２６は、主に、吸引用チャンバー３２６ｂと、吸引用チャンバー３２６ｂ内の空気を吸引する吸引装置３２６ｃとから構成されている。吸引用チャンバー３２６ｂの上壁部は、多孔質材３２６ａで形成されている。吸引装置３２６ｃの吸引によって吸引用チャンバー３２６ｂ内が負圧状態になることで、多孔質材３２６ａ中に存在する多数の細孔を介して、吸引用チャンバー３２６ｂの上面に吸引用チャンバー内部へ向かう吸い込み気流を発生させる。
【００６７】
搬送ベルト３２５は、２つの支持ローラ３２２，３２３のうちの少なくとも一方が駆動することにより図中矢印の向きに走行して表面が移動する。このとき、吸引用チャンバー３２６ｂの上面に生じる吸い込み気流により、搬送ベルト３２５の内周面は吸引用チャンバー３２６ｂの上面に吸着した状態となり、搬送ベルト３２５は吸引用チャンバー３２６ｂの上面と摺動しながら移動する。
【００６８】
また、吸引用チャンバー３２６ｂの上面に生じる吸い込み気流により、搬送ベルト３２５に形成されている吸引孔にも吸い込み気流が発生する。これにより、受け渡し胴２０２によって搬送され、搬送ベルト３２５の表面上に受け渡された用紙Ｐは、その吸い込み気流によって搬送ベルト３２５の表面上に吸着する。そして、搬送ベルト３２１の表面移動に伴って、乾燥機構３０１の乾燥チャンバー３１３の内部を通過し、その後、搬送ベルト３２１の表面から離れ、排紙部４００へと受け渡される。
【００６９】
本変形例１によれば、吸引機構３２６による吸い込み気流によって搬送ベルト３２５の表面上に用紙Ｐを吸着させるため、上述した実施形態よりも用紙Ｐを搬送ベルト３２５の表面上に安定して保持される。したがって、本変形例１では、上述した実施形態よりも更に安定して用紙Ｐの捲れ上がりを抑制できる。
【００７０】
吸引用チャンバー３２６ｂの上壁部は必ずしも多孔質材３２６ａで形成する必要はないが、多孔質材３２６ａで形成することで、吸引用チャンバー３２６ｂ内の一箇所から吸引装置３２６ｃで吸引する場合でも、吸引用チャンバー３２６ｂの上面全体にわたって一定の吸い込み気流を発生させることができる。
【００７１】
〔変形例２〕
次に、本実施形態における乾燥部３００の他の変形例（以下、本変形例を「変形例２」という。）について説明する。
本変形例２は、基本構成については上述した実施形態と同様であるが、用紙押さえ機構３３０によって用紙Ｐを搬送ベルト３２１の表面に押さえ付ける用紙搬送方向領域（押し付け区間）が上述した実施形態とは異なっている。以下、上述した実施形態とは異なる点を中心に説明する。
【００７２】
図１１は、本変形例２における乾燥部３００を示す正面図である。
本変形例２における２つの端部押さえベルト３３１Ａ，３３１Ｂは、それぞれ、４つの支持ローラ３３２Ａ，３３３Ａ，３３５Ａ，３３６Ａ，３３２Ｂ，３３３Ｂ，３３５Ｂ，３３６Ｂに掛け渡されている。２つの端部押さえベルト３３１Ａ，３３１Ｂは、乾燥チャンバー３１３の用紙受入口３１３ａよりも用紙搬送方向上流側のベルト配置については、上述した実施形態と同様である。ただし、本変形例２の端部押さえベルト３３１Ａ，３３１Ｂは、乾燥チャンバー３１３の内部における用紙受入口３１３ａの近傍に設けられる第二支持ローラ３３３Ａ，３３３Ｂの位置で搬送ベルト３２１の表面から離れ、乾燥チャンバー３１３の上壁部に形成されているベルト出入口３１３ｃから乾燥チャンバー３１３の外部へ出るように配置されている。
【００７３】
本変形例２における押し付け区間は、上述した実施形態における２つの端部押さえベルト３３１Ａ，３３１Ｂの押付開始位置と同じ位置から、乾燥チャンバー３１３の内部に位置する送風領域（３つの送風ファン３１１の直下領域）と乾燥チャンバー３１３の用紙受入口３１３ａとの間の押付終了位置までの区間である。このように送風領域に対する用紙搬送方向上流側の区間で用紙Ｐを搬送ベルト３２１の表面に押さえ付けることができれば、送風領域内へ進入してくる用紙Ｐの先端部に向かう気流Ｆ１によって用紙先端部が捲れ上がるのを抑制できる。
【００７４】
用紙先端部が乾燥チャンバー３１３内の送風領域内に進入した後においては、上述したとおり、用紙先端部が送風ファン３１１からの風によって搬送ベルト３２１の表面に押さえ付けられるため、用紙先端部の捲れ上がりが起きにくい。したがって、本変形例２においても、乾燥チャンバー３１３の内部で用紙先端部が捲れ上がって搬送不良が生じにくい。
【００７５】
なお、本変形例２でも、２つの端部押さえベルト３３１Ａ，３３１Ｂとして平ベルトからなる表面移動部材を採用しているが、図１２に示す板バネ３３８のような非表面移動部材によって用紙Ｐを搬送ベルト３２１の表面に押さえ付ける構成であってもよい。
【００７６】
〔変形例３〕
次に、本実施形態における乾燥部３００の更に他の変形例（以下、本変形例を「変形例３」という。）について説明する。
本変形例３は、基本構成については上述した実施形態と同様であるが、用紙押さえ機構３３０によって用紙Ｐを搬送ベルト３２１の表面に押さえ付ける用紙搬送方向領域（押し付け区間）が上述した実施形態とは異なっている。以下、上述した実施形態とは異なる点を中心に説明する。
【００７７】
図１３は、本変形例３における乾燥部３００を示す正面図である。
本変形例３における２つの端部押さえベルト３３１Ａ，３３１Ｂは、上述した実施形態と同様、それぞれ、５つの支持ローラ３３２Ａ，３３３Ａ，３３４Ａ，３３５Ａ，３３６Ａ，３３２Ｂ，３３３Ｂ，３３４Ｂ，３３５Ｂ，３３６Ｂに掛け渡されている。ただし、本変形例３では、第二支持ローラ３３３Ａ，３３３Ｂが乾燥チャンバー３１３の内部に配置されており、端部押さえベルト３３１Ａ，３３１Ｂは、その第二支持ローラ３３３Ａ，３３３Ｂの位置で搬送ベルト３２１の表面から離れ、乾燥チャンバー３１３の上壁部に形成されているベルト出入口３１３ｃから乾燥チャンバー３１３の外部へ出るように配置されている。
【００７８】
本変形例３における押し付け区間は、上述した実施形態における２つの端部押さえベルト３３１Ａ，３３１Ｂの押付開始位置と同じ位置から、乾燥チャンバー３１３の内部の送風領域（３つの送風ファン３１１の直下領域）内に位置する押付終了位置までの区間である。このように送風領域の用紙搬送方向上流側から送風領域内にわたる区間で用紙Ｐを搬送ベルト３２１の表面に継続的に押さえ付けることで、送風領域内に用紙先端部が進入するまでの間、用紙先端部を押さえ続けることができ、送風領域からの気流によって用紙先端部が捲れ上がるのを安定して抑制できる。
【００７９】
また、本変形例３のように、複数の送風ファン３１１が用紙搬送方向に並んで配置されている構成では、用紙搬送方向上流側の送風ファン３１１の送風領域部分内又はその送風領域部分を通り過ぎた後の用紙先端部に対し、用紙搬送方向下流側の送風ファン３１１からの風による気流が搬送ベルト３２１の表面に沿って向かってくる場合がある。この場合、送風領域内であっても、その用紙搬送方向下流側に位置する送風ファン３１１の送風による気流によって用紙先端部が捲れ上がるおそれがある。
【００８０】
本変形例３の押し付け区間は、用紙搬送方向最下流側に位置する送風ファン３１１に対する用紙搬送方向上流側の近接した位置が押付終了位置となっているため、いずれの送風ファン３１１の送風によっても用紙先端部が捲れ上がらないように、用紙先端部が２つの端部押さえベルト３３１Ａ，３３１Ｂによって押さえ付けられる。
【００８１】
〔変形例４〕
次に、本実施形態における乾燥部３００の更に他の変形例（以下、本変形例を「変形例４」という。）について説明する。
上述した実施形態（各変形例１〜３を含む。）では、インクが吐出されて画像が形成された後の用紙を乾燥する乾燥部３００の例であったが、本変形例４は、上述した前処理部において所定の処理液を用紙Ｐに塗布等により付与する処理を行い、画像形成部２００でインクが吐出されて画像が形成される前に、処理液が付与された用紙を乾燥させる乾燥部に適用したものである。
【００８２】
なお、本変形例４は、上述した実施形態に係るインクジェット記録装置１に対し、給紙部１００と画像形成部２００との間に、前処理部及び乾燥部を追加した点を除いて、基本構成については上述した実施形態と同様である。また、追加される乾燥部の基本構成についても上述した実施形態と同様である。したがって、以下、上述した実施形態とは異なる点を中心に説明する。
【００８３】
図１４は、本変形例４で用いられる前処理手段としての塗布装置の主要部を示す説明図である。
本変形例４の前処理部は、給紙部１００から給紙された用紙Ｐに処理液を塗布する塗布装置５１０を備えている。処理液としては、例えば、用紙の表面に塗布することで用紙の表面を改質する改質材が挙げられる。具体的には、予め用紙にムラなく塗布しておくことで、インクの水分を速やかに用紙に浸透させるとともに色成分を増粘させ、更には乾燥も早めることによって滲み（フェザリング、ブリーディング等）や裏抜けを防止し、生産性（単位時間当たりの画像出力枚数）を上げることを可能にする定着剤（セット剤）が挙げられる。
【００８４】
処理液は、組成的には、例えば界面活性剤（アニオン系、カチオン系、ノニオン系のいずれか、若しくはこれらを２種類以上混合させたもの）に対して、水分の浸透を促進するセルロース類（ヒドロキシプロピルセルロース等）とタルク微粉体のような基剤を加えた溶液等を用いることができる。 更に微粒子を含有することもできる。
【００８５】
本変形例４の塗布装置５１０は、用紙を搬送する搬送ローラ５１１と、搬送ローラ５１１に対向して用紙に処理液５０１を塗布する塗布ローラ５１２と、塗布ローラ５１２に処理液５０１を供給して液膜（処理液５０１の膜）を薄くするスクイーズローラ５１３とを有している。 なお、各ローラの回転方向は図中矢印方向である。これらのローラは、搬送ローラ５１１に塗布ローラ５１２が接し、塗布ローラ５１２にスクイーズローラ５１３が接して配置されている。
【００８６】
本変形例４では、塗布装置５１０によって用紙に処理液５０１を塗布するとき、スクイーズローラ５１３が図中矢印方向に回転することで、液トレイ５１４内の処理液５０１がスクイーズローラ５１３の表面ですくい上げられ、液膜層５０１ａの状態でその回転によって移送され、スクイーズローラ５１３と塗布ローラ５１２との谷部分（接触部：ニップ部）上に溜まる（処理液５０１ｂ）。ここで、スクイーズローラ５１３と塗布ローラ５１２は一定の加圧力で接しており、谷部分に溜められた処理液５０１ｂは両ローラ５１３，５１２の間を通過する際に圧力でしごかれ、処理液５０１の液膜層５０１ｃが形成されて塗布ローラ５１２の回転によって搬送ローラ５１１側に移送される。塗布ローラ５１２で移送される液膜層２０１ｃは用紙に塗布される。
【００８７】
このようにして処理液５０１の液膜層２０１ｃが塗布された用紙は、上述した実施形態（各変形例１〜３を含む。）の乾燥部３００と同様の構成をもつ乾燥部に搬送され、乾燥処理がなされる。この乾燥部によって乾燥処理を受けた後の用紙は、画像形成部２００へ給紙され、画像形成部２００においてインクの吐出を受けて画像が形成される。
【００８８】
以上に説明したものは一例であり、次の態様毎に特有の効果を奏する。
（態様Ａ）
用紙Ｐ等のシート材に送風する送風ファン３１１等の送風手段と、前記送風手段により送風される送風領域内を通過するように該シート材を搬送するベルト搬送機構３２０等の搬送手段とを備えた乾燥部３００等の搬送装置において、前記搬送手段は、前記送風領域内に位置するシート材部分における被送風領域の裏側を搬送ベルト３２１，３２５等の表面移動部材で支持しながら、該表面移動部材の表面移動に伴って該シート材を搬送するものであり、前記送風領域よりもシート材搬送方向上流側の位置から、前記シート材の先端部が該送風領域へ進入するまでの間、該シート材の先端部の少なくとも一部を前記表面移動部材の表面に向けて押し付ける用紙押さえ機構３３０等の押付部材を有することを特徴とする。
本態様によれば、送風領域内に位置するシート材部分における被送風領域の裏側が表面移動部材によって支持されるため、送風領域内でシート材の被送風面に送風手段からの風が当たっても、当該シート材部分の被送風領域が風に押されて撓ませられるのを抑制できる。よって、シート材の幅方向両端領域のみを挟持して搬送する従来の構成で発生していたような搬送不良の発生が抑制される。しかも、本態様では、送風手段からの風によってシート材が表面移動部材の表面へ押し付けられるため、表面移動部材とシート材との密着性が高まり、より安定したシート材の搬送を実現できる。
ただし、本態様においては、このような構成を採用したことで、送風領域内にシート材が進入する前に、送風手段からの風が表面移動部材の表面に当たる。このように表面移動部材の表面に当たった風は、その後、表面移動部材の表面に沿って進み、シート材搬送方向上流側から送風領域内へ進入してくるシート材の先端部に向かう気流を発生させる。このような気流は、シート材が送風領域内へ進入する前のシート材先端部を捲り上げ、シート材先端部が周囲の部材に引っ掛かったり、表面移動部材からシート材が剥離したりするなどして、搬送不良を生じさせるおそれがある。
そこで、本態様では、送風領域よりもシート材搬送方向上流側の位置（押付開始位置）から、シート材の先端部が送風領域へ進入するまでの間、そのシート材の先端部を表面移動部材の表面に向けて押し付ける押付部材を設け、前記のような気流が発生しても、シート材先端部が捲れ上がるのを抑制している。これにより、シート材先端部が捲れ上がることによる搬送不良を抑制でき、安定したシート搬送を実現できる。
【００８９】
（態様Ｂ）
前記態様Ａにおいて、前記押付部材は、前記送風領域内の位置までの間、前記シート材を前記表面移動部材の表面に向けて押し付けることを特徴とする。
これによれば、上述した変形例３で説明したとおり、シート材の先端部が送風領域内へ完全に入り込むまでの間、そのシート材の先端部を押し付けることができ、シート材の先端部が送風領域内に進入するまで、より安定してシート材を搬送することができる。
【００９０】
（態様Ｃ）
前記態様Ａにおいて、前記押付部材は、前記送風領域よりもシート材搬送方向下流側の位置までの間、前記シート材を前記表面移動部材の表面に向けて押し付けることを特徴とする。
本態様によれば、上述した実施形態で説明したとおり、シート材の先端部が送風領域を完全に抜けるまでの間、そのシート材の先端部を押し付けることができるので、送風領域内でシート材の先端部が捲れ上がることも安定して抑制できる。
また、送風領域をシート材が通過した後、送風手段からの風は表面移動部材の表面に当たり、その後、表面移動部材の表面に沿って進んで、送風領域から出たシート材の後端部に向かう気流を発生させる。このような気流は、送風領域を通過した後のシート材の後端部を捲り上げ、シート材後端部が表面移動部材から剥離したりするなどして、搬送不良を生じさせるおそれがある。
本態様によれば、シート材の後端部が送風領域を抜けた後も、そのシート材の後端部が押し付けられることから、送風領域からシート材の後端部に向かう気流が発生しても、シート材後端部が捲れ上がるのを抑制でき、安定したシート搬送を実現できる。
【００９１】
（態様Ｄ）
前記態様Ｂ又はＣにおいて、前記押付部材は、少なくとも押付開始位置及び押付終了位置に配置される押付用支持ローラ３３２Ａ，３３２Ｂ，３３３Ａ，３３３Ｂ並びに該押付開始位置よりもシート材搬送方向上流側に配置される上流側支持ローラ３３６Ａ，３３６Ｂに掛け渡された端部押さえベルト３３１Ａ，３３１Ｂ等の無端状のベルト部材で構成され、前記押付開始位置に配置される押付用支持ローラ３３２Ａ，３３２Ｂと前記上流側支持ローラ３３６Ａ，３３６Ｂとの間に張架されているベルト部分がシート材搬送方向上流側から下流側に向けて前記表面移動部材の表面に近づくように配置されていることを特徴とする。
これによれば、押付開始位置よりもシート材搬送方向上流側でシート材の先端部が表面移動部材の表面から浮き上がっている場合でも、その用紙先端部は、無端状ベルト部材の当該ベルト部分に接触し、その後、無端状ベルト部材の表面移動に伴って押付開始位置に向けて案内される。その結果、シート材先端部が表面移動部材の表面から浮き上がっていても、無端状ベルト部材と表面移動部材との間にシート材先端部がスムーズに進入でき、搬送不良を抑制できる。
【００９２】
（態様Ｅ）
前記態様Ａ〜Ｄのいずれかの態様において、前記送風領域の周囲を壁部材で囲って形成され、少なくともシート材搬送方向上流側からシート材を受け入れる用紙受入口３１３ａ等のシート受入口を備えた乾燥チャンバー３１３等の送風室を有し、前記押付部材は、前記送風室のシート受入口のシート材搬送方向上流側から下流側にかけて、前記シート材を前記表面移動部材の表面に向けて押し付けることを特徴とする。
送風室の内部に送風領域が位置する場合、送風によって生じた気流がシート受入口から外部へ強く吹き出しやすく、その送風室のシート受入口から進入する前のシート材の先端部に、シート受入口から吹き出す強い気流が当たってシート材先端部が捲れ上がりやすい。
本態様によれば、シート材の先端部がシート受入口に完全に入り込むまで押付部材により表面移動部材の表面へ押し付けられるので、シート受入口から吹き出す強い気流によってシート材先端部が捲れ上がるのを安定して抑制できる。
【００９３】
（態様Ｆ）
用紙Ｐ等のシート材に送風する送風ファン３１１等の送風手段と、前記送風手段により送風される送風領域内を通過するように該シート材を搬送するベルト搬送機構３２０等の搬送手段とを備えた乾燥部３００等の搬送装置において、前記搬送手段は、前記送風領域内に位置するシート材部分における被送風領域の裏側を搬送ベルト３２１，３２５等の表面移動部材で支持しながら、該表面移動部材の表面移動に伴って該シート材を搬送するものであり、前記シート材の後端部が前記送風領域を通過してから、該送風領域よりもシート材搬送方向下流側の位置までの間、該シート材の後端部を前記表面移動部材の表面に向けて押し付ける用紙押さえ機構３３０等の押付部材を有することを特徴とする。
送風領域をシート材が通過した後、送風手段からの風は表面移動部材の表面に当たり、その後、表面移動部材の表面に沿って進んで、送風領域から出たシート材の後端部に向かう気流を発生させる。このような気流は、送風領域を通過した後のシート材の後端部を捲り上げ、シート材後端部が表面移動部材から剥離したりするなどして、搬送不良を生じさせるおそれがある。
本態様によれば、送風領域を抜けたシート材の後端部が押付部材により表面移動部材の表面に押し付けられるため、送風領域からシート材の後端部に向かう気流が発生しても、シート材後端部が捲れ上がるのを抑制でき、安定したシート搬送を実現できる。
【００９４】
（態様Ｇ）
前記態様Ｆにおいて、前記送風領域の周囲を壁部材で囲って形成され、少なくともシート材搬送方向下流側へシート材を排出する用紙排出口３１３ｂ等のシート排出口を備えた乾燥チャンバー３１３等の送風室を有し、前記押付部材は、前記送風室のシート排出口のシート材搬送方向上流側から下流側にかけて、前記シート材を前記表面移動部材の表面に向けて押し付けることを特徴とする。
送風室の内部に送風領域が位置する場合、送風によって生じた気流がシート排出口から外部へ強く吹き出しやすく、その送風室のシート排出口から出た後のシート材の後端部に、シート排出口から吹き出す強い気流が当たってシート材後端部が捲れ上がりやすい。
本態様によれば、シート材の後端部がシート排出口から出る前から出た後まで押付部材により表面移動部材の表面へ押し付けられるので、シート排出口から吹き出す強い気流によってシート材後端部が捲れ上がるのを安定して抑制できる。
【００９５】
（態様Ｈ）
前記態様Ｅ又はＧにおいて、前記送風室内には、輻射ヒータ３１２等の発熱手段が配置されていることを特徴とする。
これによれば、シート材の被送風面を加熱することができるので、シート材の乾燥処理などに好適に利用できる。
また、送風室内に発熱手段が配置されている構成においては、シート材が発熱手段に接触する事態を避けることが重要であるが、本態様によれば、シート材の先端部や後端部が捲れ上がることが抑制されるため、シート材が発熱手段に接触する事態を抑制できる。
【００９６】
（態様Ｉ）
前記態様Ｈにおいて、前記発熱手段の発熱量を制御する制御手段を有することを特徴とする。
これによれば、使用環境、シート材の種類などに応じて、発熱手段を好適な発熱量で制御することができる。
【００９７】
（態様Ｊ）
前記態様Ｈ又はＩにおいて、前記表面移動部材及び前記押付部材の少なくとも一方を、前記送風室の外部を通るように配置される無端状のベルト部材で構成したことを特徴とする。
これによれば、当該無端状のベルト部材が送風室の内部で高温に曝される場合でも、送風室の外部を通るときに冷却されるため、当該無端状のベルト部材の最高到達温度を下げて寿命を長くすることが可能となる。
【００９８】
（態様Ｋ）
前記態様Ａ〜Ｊのいずれかの態様において、前記押付部材は、シート材搬送方向に直交するシート材幅方向の両端領域のみを押し付けることを特徴とする。
これによれば、シート材の被送風面における幅方向両端領域以外の幅方向中央領域には押付部材が接触しない。そのため、シート材の被送風面上の幅方向中央領域に押付部材が接触することによる不具合を避けることができる。
【００９９】
（態様Ｌ）
前記態様Ｋにおいて、前記押付部材は、シート材幅方向へ移動可能に構成されていることを特徴とする。
これによれば、シート材幅方向の長さが異なる複数種類のシート材に対し、その幅方向両端領域のみを押付部材で適切に押し付けることができる。
【０１００】
（態様Ｍ）
前記態様Ｋ又はＬにおいて、前記押付部材は、表面が移動する端部押さえベルト３３１Ａ，３３１Ｂ等の押付用表面移動部材で構成されており、前記搬送手段は、前記表面移動部材及び前記押付用表面移動部材のうちの一方の表面移動部材を駆動することにより、他方の表面移動部材を該一方の表面移動部材の表面移動に連れ回るように従動させるものであることを特徴とする。
これによれば、押付用表面移動部材とシート材との間の摺擦を軽減でき、押付部材によるシート材のダメージを抑制できる。
【０１０１】
（態様Ｎ）
前記態様Ａ〜Ｍのいずれかの態様において、前記搬送手段は、前記表面移動部材の表面に形成された吸引孔に吸い込み気流を生じさせて該表面移動部材の表面に吸着させたシート材を該表面移動部材の表面移動に伴って搬送するものであることを特徴とする。
これによれば、上述した変形例１のとおり、吸い込み気流によって表面移動部材の表面上にシート材を吸着させるため、シート材を表面移動部材の表面に安定して保持できる。したがって、シート材の捲れ上がりが起きにくく、シート材の捲れ上がりによる搬送不良等を更に安定して抑制できる。
【０１０２】
（態様Ｏ）
前記態様Ｎにおいて、前記搬送手段は、前記表面移動部材の表面のうち、少なくとも、前記押付部材によりシート材が押し付けられる押付開始位置よりもシート材搬送方向上流側に位置する表面部分から、前記押付部材によりシート材が押し付けられている表面部分に至るまでの間、吸引孔に吸い込み気流を生じさせてシート材を吸着させることを特徴とする。
これによれば、押付開始位置よりもシート材搬送方向上流側でシート材の先端部が表面移動部材の表面から浮き上がることを吸い込み気流によって抑制できる。その結果、無端状ベルト部材と表面移動部材との間にシート材先端部をスムーズに進入させることができ、搬送不良を抑制できる。
【０１０３】
（態様Ｐ）
用紙Ｐ等のシート材にインク等の液体を吐出させる液体吐出ヘッド２２０Ｃ，２２０Ｍ，２２０Ｙ，２２０Ｋ等の液体吐出手段と、前記液体吐出手段により液体が付着したシート材に送風を行うとともに該シート材を搬送する乾燥部３００等の搬送装置とを備えたインクジェット記録装置等の印刷装置において、前記搬送装置として、前記態様Ａ〜Ｍのいずれかの態様に係る搬送装置を用いたことを特徴とする。
本態様によれば、安定したシート搬送性を有する印刷装置を実現できる。
【０１０４】
（態様Ｑ）
用紙Ｐ等のシート材にインク等の液体を吐出させる液体吐出ヘッド２２０Ｃ，２２０Ｍ，２２０Ｙ，２２０Ｋ等の液体吐出手段と、前記液体吐出手段のシート材搬送方向上流側で、前記液体が吐出される前のシート材に処理液５０１を付与する塗布装置５１０等の前処理手段と、前記液体吐出手段のシート材搬送方向上流側で、前記前処理手段により処理液が付与されたシート材に送風を行うとともに該シート材を搬送する乾燥部等の搬送装置とを備えたインクジェット記録装置等の印刷装置において、前記搬送装置として、前記態様Ａ〜Ｍのいずれかの態様に係る搬送装置を用いたことを特徴とする。
本態様によれば、安定したシート搬送性を有する印刷装置を実現できる。
【符号の説明】
【０１０５】
１  インクジェット記録装置
１００  給紙部
２００  画像形成部
２０１  渡し胴
２０２  受け渡し胴
２１０  用紙担持ドラム
２１１  吸引装置
２２０  インク吐出部
２２０Ｃ，２２０Ｍ，２２０Ｙ，２２０Ｋ  液体吐出ヘッド
３００  乾燥部
３０１  乾燥機構
３０２  搬送機構
３１１  送風ファン
３１２  輻射ヒータ
３１３  乾燥チャンバー
３１３ａ  用紙受入口
３１３ｂ  用紙排出口
３１３ｃ  ベルト出入口
３２０  ベルト搬送機構
３２１，３２５  搬送ベルト
３２２，３２３  支持ローラ
３２４  バックアップコロ
３２６  吸引機構
３２６ａ  多孔質材
３２６ｂ  吸引用チャンバー
３２６ｃ  吸引装置
３３０  用紙押さえ機構
３３１  端部押さえベルト
３３２〜３３６  支持ローラ
３３７  加重コロ
３３８  板バネ
４００  排紙部
５１０  塗布装置
５０１  処理液
【先行技術文献】
【特許文献】
【０１０６】
【特許文献１】特開平７−３１４８２６号公報
【図１】
2017171503.tif 000003
【図２】
2017171503.tif 000004
【図３】
2017171503.tif 000005
【図４】
2017171503.tif 000006
【図５】
2017171503.tif 000007
【図６】
2017171503.tif 000008
【図７】
2017171503.tif 000009
【図８】
2017171503.tif 000010
【図９】
2017171503.tif 000011
【図１０】
2017171503.tif 000012
【図１１】
2017171503.tif 000013
【図１２】
2017171503.tif 000014
【図１３】
2017171503.tif 000015
【図１４】
2017171503.tif 000016